(57)【要約】【課題】粘着性ラベルの接着剤成分が内容物に混入しないように改良された包装用品を提供することを目的とする【解決手段】本考案は、内容物の取出し口３を着脱性の粘着性ラベル５で封じた包装袋１に係る。包装袋１は、一方の面に取出し口３が設けられた、収納部を形成する本体フィルム４と、取出し口３より一回り大きな面積を有する、粘着性ラベル５の接着剤層５ａを隠すための隠蔽用フィルム７と、隠蔽用フィルム７より一回り大きい粘着性ラベル５とを備える。粘着性ラベル５が、隠蔽用フィルム７を間に介在させて取出し口３を封止するように、本体フィルム４の一方の面４ａに貼り付けられてなる。【選択図】図１
0003206272.tif 000002
【実用新案登録請求の範囲】
【請求項１】
内容物の取出し口を着脱性の粘着性ラベルで封じた包装用品であって、
一方の面に取出し口が設けられた、収納部を形成する本体フィルムと、
前記取出し口より一回り大きな面積を有する、前記粘着性ラベルの接着剤層を隠すための隠蔽用フィルムと、
前記隠蔽用フィルムより一回り大きい粘着性ラベルと、を備え、
前記粘着性ラベルが、前記隠蔽用フィルムを間に介在させて前記取出し口を封止するように、前記本体フィルムの前記一方の面に貼り付けられてなる包装用品。
【請求項２】
前記包装用品は包装袋又は包装箱を含み、
前記本体フィルム及び前記隠蔽用フィルムはプラスチックフィルムで形成されている、請求項１に記載の包装用品。
【考案の詳細な説明】
【技術分野】
【０００１】
本考案は一般に、取出し口を粘着性ラベルで封じた包装用品に関するものであり、より特定的には、内容物の中に粘着性ラベルの接着剤成分が混入しないように改良された包装袋及び包装箱に関する。
【背景技術】
【０００２】
図３（Ａ）に示すように、従来の包装袋１は、収納部を形成する本体フィルム４と粘着性ラベル５とを備える。粘着性ラベル５の表面には、例えば「ＯＰＥＮ▼」などの文字が記載される。本体フィルム４の一方の面４ａには、内容物２(例えばウエットティッシュ、食料品)を取出すための取出し口３が設けられている。粘着性ラベル５は、取出し口３より一回り大きな面積を有する。図３（Ｂ）に示すように、粘着性ラベル５は、本体フィルム４の一方の面４ａに、その接着剤層５ａを向けて、取出し口３を封じるように貼り付けられ、これにより、内容物２が密封される。内容物２を取出す時には、図３（Ｃ）に示すように、粘着性ラベル５を指で剥がして取出し口３を開封する。
【考案の概要】
【考案が解決しようとする課題】
【０００３】
従来の包装袋は以上のように構成されている。しかしながら、図３（Ｂ）に示すような状態で流通するので、内容物２と粘着性ラベル５が接触し、内容物２の中に粘着性ラベル５の接着剤成分が混入するという問題点があった。また、図３（Ｃ）に示すように、取出し口３の周縁に接着剤成分９が付着し、これが内容物２を汚す。これらの問題点は、包装袋１に収容される内容物がウエットティッシュなら皮膚障害を発生させる。また、収容される内容物が食料品なら、接着剤成分の匂いを感じる、あるいは味覚に違和感を感じるという問題点を引き起こすことがあった。
【０００４】
このような問題は、図４（Ａ）に示すような取出し口３を形成する切れ目線６が一方の面４ａに設けられた包装袋１の場合にも同様に生じていた。この場合は、図４（Ａ）、（Ｂ）に示すように、粘着性ラベル５は、本体フィルム４の一方の面４ａに設けられた切れ目線６を覆うように貼り付けられる。図４（Ｃ）に示すように、粘着性ラベル５を剥がすと、切れ目線６に沿って本体フィルム４が引き裂かれて、本体フィルム４の切り裂かれ部４ｂが粘着性ラベル５に貼りついた状態で、取出し口３が開封される。このような包装袋１の場合でも、切れ目線６を通って粘着性ラベル５の接着剤成分が内容物２の中に異物として混入することが認められている。また、切り裂かれ部４ｂは接着剤層５ａを隠しているが、切り裂かれ部４ｂの径と取出し口３の径は同じであるので、取出し口３の周縁に接着剤成分９が付着するのは避けられず、これが内容物２を汚す。
【０００５】
本考案は、上記のような問題点を解決するためになされたもので、内容物に粘着性ラベルの接着剤成分が混入しないように改良された包装用品を提供することを目的とする。
【課題を解決するための手段】
【０００６】
本考案は、内容物の取出し口を着脱性の粘着性ラベルで封じた包装用品であって、一方の面に取出し口が設けられた、収納部を形成する本体フィルムと、上記取出し口より一回り大きな面積を有する、上記粘着性ラベルの接着剤層を隠すための隠蔽用フィルムと、上記隠蔽用フィルムより一回り大きい粘着性ラベルと、を備える。上記粘着性ラベルが、上記隠蔽用フィルムを間に介在させて上記取出し口を封止するように、上記本体フィルムの上記一方の面に貼り付けられてなる。
【０００７】
上記隠蔽用フィルムが上記粘着性ラベルの接着剤層を隠し、ひいては、内容物と粘着性ラベルの接着剤層との接触を遮断するのである。隠蔽用フィルムは、上記取出し口より一回り大きな面積を有するので、取出し口の周縁に接着剤成分が付着しない。
【０００８】
上記包装用品は包装袋又は包装箱を含む。
【０００９】
上記内容物は、粉末、固形状のものが好ましい。
【００１０】
上記本体フィルム及び上記隠蔽用フィルムには、汎用の包装用プラスチックフィルムがいずれも使用できる。食料包装用プラスチックフィルムには、内容品保護（物理的、化学的な刺激からの保護、鮮度保持）が求められ、このために機械的強度、ガスバリヤー性、ヒートシール強度等を併せ持つことが要求される。これらの要求を単独で叶えられる材料はないので、各々の特徴を組み合わせた多層フィルムが使われる。多層フィルムは主に、共押出し、あるいはラミネートで作られる。ラミネートの場合、延伸ポリプロピレン（ＯＰＰ）、ポリエチレンテレフタレート（ＰＥＴ）、延伸ナイロン（ＯＮ）などが使用される。上記のうち、ベースフィルムは、ナイロンで形成されるのが好ましい。
【００１１】
上記粘着性ラベルには、汎用のものが使用される。これは、片面に着脱性の粘着剤がついていて直接生地に貼りつけられるフィルムである。粘着層は、天然系粘着剤、合成系粘着剤（アクリル樹脂系接着剤、アクリル樹脂エマルジョン接着剤、α-オレフィン系接着剤、エーテル系セルロ−ス、エチレン-酢酸ビニル樹脂エマルジョン接着剤、エチレン-酢酸ビニル樹脂ホットメルト接着剤、酢酸ビニル樹脂エマルジョン接着剤、シリコーン系接着剤）などが使用できる。中でも、ＥＶＡ（エチレン−酢酸ビニル共重合樹脂）エマルジョンが好ましい。
【考案の効果】
【００１２】
本考案の、取り出し口を粘着性ラベルで封じた包装用品によれば、隠蔽用フィルムが粘着性ラベルの接着剤層を隠し、ひいては、内容物と、粘着性ラベルの接着剤層との接触を遮断するので、内容物内に粘着性ラベルの接着剤成分が混入しない。その結果、安全性の高い包装用品が得られる。
【図面の簡単な説明】
【００１３】
【図１】（Ａ）は本考案の実施例１に係る包装袋の分解斜視図、（Ｂ）は流通時における包装袋の斜視図、（Ｃ）は図１（Ｂ）におけるＣ−Ｃ線に沿う断面図、（Ｄ）は開封した時の包装袋の斜視図である。
【図２】（Ａ）は本考案の実施例２に係る包装箱の分解斜視図、（Ｂ）は流通時における包装箱の斜視図、（Ｃ）は、開封した時の包装箱の斜視図である。
【図３】（Ａ）は従来の包装袋の分解斜視図、（Ｂ）は流通時における包装袋の斜視図、（Ｃ）は、開封した時の包装袋の斜視図である。
【図４】（Ａ）は他の従来例に係る包装袋の分解斜視図、（Ｂ）は流通時における包装袋の斜視図、（Ｃ）は、開封した時の包装袋の斜視図である。
【考案を実施するための形態】
【００１４】
粘着性ラベルの接着剤成分が内容物に混入しないように改良された包装用品を得るという目的を、取出し口より一回り大きな面積を有する、粘着性ラベルの接着剤層を隠すための隠蔽用フィルムを介在させた状態で取出し口を粘着性ラベルで封じることによって実現した。以下、本考案の実施例を図面を用いて説明する。各図中、同一部分には同一の参照番号を付し、その説明を繰り返さない。
【実施例１】
【００１５】
図１（Ａ）は、本考案に係る包装用品の一例である包装袋の分解斜視図である。包装袋１は、一方の面４ａに内容物２の取出し口３が設けられた、収納部を形成する本体フィルム４と、取出し口３より一回り大きな面積を有する、粘着性ラベル５の接着剤層５ａを隠すための隠蔽用フィルム７と、隠蔽用フィルム７より一回り大きい粘着性ラベル５とを備える。図１（Ｂ）、（Ｃ）に示すように、隠蔽用フィルム７を間に介在させて取出し口３を封止するように、本体フィルム４の一方の面４ａに、隠蔽用フィルム７より一回り大きい粘着性ラベル５が、その接着剤層を上記一方の面４ａに向けて貼り付けられてなる。隠蔽用フィルム７は粘着性ラベル５の接着剤層に貼り付けられた状態になり、粘着性ラベル５の接着剤層５ａを隠す。隠蔽用フィルム７は、取出し口３より一回り大きな面積を有するので、取出し口３の周縁にも接着剤成分は付着しない。
【００１６】
本体フィルム４及び隠蔽用フィルム７はプラスチックフィルムで形成される。粘着性ラベル５の裏面には、繰り返し着脱できる着脱性の粘着性樹脂が塗布されている。
【００１７】
本考案の作用効果について説明する。図１（Ｃ）に示すように、隠蔽用フィルム７を間に介在させて、粘着性ラベル５が取出し口３を封じると、隠蔽用フィルム７が粘着性ラベル５の接着剤層５ａを隠し、ひいては、内容物２と粘着性ラベル５の接着剤層５ａとの接触を遮断する。その結果、内容物２の中に粘着性ラベル５の接着剤成分が混入しない。内容物２の中に粘着性ラベルの接着剤成分が混入しないので、安心して使用者は内容物２を使用でき、安全性が高い。
【００１８】
図１（Ｄ）に示すように、粘着性ラベル５の一部を剥がすと、隠蔽用フィルム７が粘着性ラベル５に貼りついた状態で取出し口３から離され、取出し口３が開封される。隠蔽用フィルム７と本体フィルム４の一方の面４ａとは接着されていないので、隠蔽用フィルム７は取出し口３から容易に離れる。使用者が内容物２を使用した後、残った内容物２は、隠蔽用フィルム７が貼りついた粘着性ラベル５をそのまま本体フィルム４の一方の面４ａに貼り付けて元の位置に戻すことにより、接着剤層５ａが再び感圧により活性化し、封止される。粘着性ラベル５の着脱動作を何回繰り返しても、隠蔽用フィルム７が取出し口３を完全に塞ぐので、内容物２の中に粘着性ラベル５の接着剤成分が混入することはない。隠蔽用フィルム７は、取出し口３より一回り大きな面積を有するので、取出し口３の周縁にも接着剤は付着しない。そのため、粘着性ラベル５の着脱動作を何回繰り返しても、内容物２の中に粘着性ラベル５の接着剤成分が混入することはない。
【実施例２】
【００１９】
図２（Ａ）は、本考案に係る包装用品の他の一例である包装箱の分解斜視図である。包装袋をさらに厚みのある包装箱８に変更した以外は、実施例１の包装袋と同様であるので、図２（Ａ），（Ｂ），（Ｃ）において、同一部分には同一の参照番号を付し、その説明を繰り返さない。包装箱８の場合、内容物２は包装袋の場合に比べてより多く収容され得る。
【００２０】
内容物２としては、上述したウエットティッシュ、食料品以外にも、パック、フェイスマスク、化粧品、固体成分を含む医薬等、子供玩具類、文房具が含まれる。
【００２１】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２２】
本考案の包装用品によれば、内容物内に粘着性ラベルの接着剤成分が混入しないので、安全である。
【符号の説明】
【００２３】
１     包装袋
２     内容物
３     取出し口
４     本体フィルム
４ａ   一方の面
４ｂ   本体フィルムの切り裂かれ部
５     粘着性ラベル
５ａ   接着剤層
６     切れ目線
７     隠蔽用フィルム
８     包装箱
９     接着剤成分
【図１】
0003206272.tif 000003
【図２】
0003206272.tif 000004
【図３】
0003206272.tif 000005
【図４】
0003206272.tif 000006